(57)【要約】【課題】負圧に起因したカバー内への泥などの異物の有害な侵入、及び、振動による摩耗に起因したカバー機能の有意な低下を防止すること。【解決手段】コネクタカバー構造は、コネクタの嵌合部と、一端が開口し他端が閉じた筒状の形態であり、前記嵌合部を外周側から覆うカバーと、前記カバー及び前記嵌合部の一方から他方に向けて突出する第１突起と、前記一方から前記他方に向けて突出し、前記カバーにおける前記一端から前記他端に向かう方向で前記第１突起よりも前記他端に近い第２突起とを含み、前記第１突起は、前記第２突起よりも突出量が大きく、前記カバーは、前記第１突起を前記嵌合部に向けて弾性的に押圧する。【選択図】  図２
2018073470.tif 000002
【特許請求の範囲】
【請求項１】
コネクタの嵌合部と、
一端が開口し他端が閉じた筒状の形態であり、前記嵌合部を外周側から覆うカバーと、
前記カバー及び前記嵌合部の一方から他方に向けて突出する第１突起と、
前記一方から前記他方に向けて突出し、前記カバーにおける前記一端から前記他端に向かう方向で前記第１突起よりも前記他端に近い第２突起とを含み、
前記第１突起は、前記第２突起よりも突出量が大きく、前記カバーは、前記第１突起を前記嵌合部に向けて弾性的に押圧する、コネクタカバー構造。
【発明の詳細な説明】
【技術分野】
【０００１】
本開示は、コネクタカバー構造に関する。
【背景技術】
【０００２】
コネクタの嵌合部をカバーで覆ったコネクタカバー構造が知られている（例えば、特許文献１参照）。
【先行技術文献】
【特許文献】
【０００３】
【特許文献１】特開平１１−２０４１９１号公報
【発明の概要】
【発明が解決しようとする課題】
【０００４】
しかしながら、上記のような従来のコネクタカバー構造では、負圧に起因したカバー内への泥などの異物の有害な侵入や、振動による摩耗に起因したカバー機能の有意な低下を防止することが難しい。
【０００５】
そこで、一側面によれば、本発明は、負圧に起因したカバー内への泥などの異物の有害な侵入、及び、振動による摩耗に起因したカバー機能の有意な低下を防止することを目的とする。
【課題を解決するための手段】
【０００６】
一側面によれば、コネクタの嵌合部と、
一端が開口し他端が閉じた筒状の形態であり、前記嵌合部を外周側から覆うカバーと、
前記カバー及び前記嵌合部の一方から他方に向けて突出する第１突起と、
前記一方から前記他方に向けて突出し、前記カバーにおける前記一端から前記他端に向かう方向で前記第１突起よりも前記他端に近い第２突起とを含み、
前記第１突起は、前記第２突起よりも突出量が大きく、前記カバーは、前記第１突起を前記嵌合部に向けて弾性的に押圧する、コネクタカバー構造が提供される。
【発明の効果】
【０００７】
一側面によれば、負圧に起因したカバー内への泥などの異物の侵入、及び、振動による摩耗に起因したカバー機能の有意な低下を防止できる。
【図面の簡単な説明】
【０００８】
【図１】コネクタカバー構造１を示す上面図である。
【図２】図１のラインＡ−Ａに沿った断面図である。
【発明を実施するための形態】
【０００９】
以下、添付図面を参照しながら各実施例について詳細に説明する。
【００１０】
図１は、本発明の一実施例によるコネクタカバー構造１を示す上面図である。図２は、図１のラインＡ−Ａに沿った断面図である。図１では、内部関係が分かるように、各部が透視で示される。また、図２では、図１では図示されていない弾性リングが併せて示されている。
【００１１】
コネクタカバー構造１は、車両の任意の個所に適用されてもよいが、好ましくは、泥などの異物の侵入が発生しうる箇所に適用される。例えば、コネクタカバー構造１は、車両の足回りに設けられる。
【００１２】
コネクタカバー構造１は、コネクタの嵌合部２と、カバー４０とを含む。
【００１３】
コネクタの嵌合部２は、雄コネクタ１１と、雌コネクタ１２と、樹脂モールド部１４とを含む。
【００１４】
雄コネクタ１１は、基板１３上に設けられ、基板１３と共に樹脂で封止（モールド）される。雄コネクタ１１は、基板１３上の電子回路（図示せず）に電気的に接続される。
【００１５】
雌コネクタ１２は、電線５０を保持し、電線５０に電気的に接続される。雄コネクタ１１と雌コネクタ１２とが嵌合されることで、基板１３上の電子回路と電線５０とが電気的に接続される。
【００１６】
樹脂モールド部１４は、基板１３及び雄コネクタ１１を上述のように封止すると共に、突起部２０を形成する。樹脂モールド部１４は、突起部２０が形成される円筒部１４０を有する。円筒部１４０は、カバー４０側の端部が開口し、該開口を介して雄コネクタ１１と雌コネクタ１２とが嵌合される。以下では、軸方向、径方向及び周方向とは、円筒部１４０の円筒形状を基準として用いられ、径方向内側とは、円筒部１４０の中心線Ｉに向かう側に対応する。
【００１７】
突起部２０は、樹脂モールド部１４における円筒部１４０に設けられる。即ち、突起部２０は、円筒部１４０の外周面に径方向外側に突出する態様で形成される。突起部２０は、開口側の突起２１（第１突起の一例）と、中間の突起２２（第２突起の一例）と、底部側の突起２３（第２突起の一例）とを含む。突起２１、２２、及び２３は、それぞれ、円筒部１４０の外周面に周方向全体にわたり形成される。
【００１８】
突起２１の突出量Ｄ１は、突起２２、２３の突出量Ｄ２、Ｄ３よりも大きい。図１及び図２に示す例では、突出量Ｄ１＞突出量Ｄ２＞突出量Ｄ３である。
【００１９】
カバー４０は、弾性を有する材料により形成される。カバー４０は、例えば軟質樹脂により形成される。カバー４０は、軸方向で一端（図２の左側の端部）が開口し他端（図２の右側の端部）が閉じた筒状の形態である。カバー４０は、嵌合部２を外周側から覆うことで、嵌合部２を泥等の異物から保護する。図１及び図２に示す例では、カバー４０は、円筒部１４０を外周側から覆う。
【００２０】
カバー４０は、嵌合部２を外周側から覆うことで、突起部２０に径方向で当接する。具体的には、図２に示すように、カバー４０は、突起部２０の各突起２１，２２，２３のうちの、突出量の最も大きい突起２１に径方向で当接する。これにより、カバー４０は、図２に示すように、開口側が径方向外側に広がる。カバー４０は、突起２１に径方向で当接することで、突起２１から径方向外側に反力Ｆ２（図２参照）を受ける。
【００２１】
カバー４０は、外周面に嵌合部２に向けて弾性力Ｆ１（図２参照）が付与される。図１及び図２に示す例では、カバー４０の外周面には、弾性リング７０が設けられる。弾性リング７０は、カバー４０の外周面を径方向内側に押圧することで、弾性力Ｆ１を発生する。図１及び図２に示す例では、弾性リング７０は、軸方向で突起２１よりも突起２３側に設けられるが、径方向で突起２１に対向する位置に設けられてもよい。
【００２２】
本実施例のコネクタカバー構造１によれば、カバー４０が嵌合部２を覆うことで、嵌合部２を泥等の異物から保護できる。即ち、雄コネクタ１１及び雌コネクタ１２の嵌合箇所への泥等の異物の有害な侵入を防止できる。特にコネクタカバー構造１によれば、カバー４０の内径側での異物の侵入経路上に、突起部２０が設けられるので、嵌合箇所への泥等の異物の有害な侵入を効果的に防止できる。
【００２３】
ところで、一般的に、カバーが嵌合部を密閉することで嵌合部を異物から保護する構成では、使用環境における温度差などに起因して、カバーの内周側の空間に、負圧が発生しうる。かかる負圧は、泥などの異物の吸込みを引き起こし、嵌合部に泥などが固着して不都合が生じる。かかる不都合としては、コネクタ着脱の際に、引き抜き力が増大したり、泥噛み状態となり嵌合力が増大することがある。
【００２４】
この点、本実施例のコネクタカバー構造１によれば、カバー４０と突起部２０との間の当接により、カバー４０の内周側の空間（軸方向で突起部２０よりも電線５０側の空間）９０への、泥等の異物の侵入を防止する。カバー４０と突起部２０との間の当接は、通気性を許容する態様で実現できるため、空間に生じうる負圧を防止又は低減でき、上記のような不都合を低減できる。このようにして、本実施例のコネクタカバー構造１によれば、負圧に起因したカバー４０内への泥などの異物の有害な侵入を防止できる。
【００２５】
また、本実施例のコネクタカバー構造１によれば、振動による摩耗に起因したカバー機能の有意な低下を防止できる。即ち、車両のような振動が発生し易い環境で使用される場合、カバー４０と突起部２０との間の当接部に伝わる振動に起因して、突起部２０の摩耗が生じうる。これに対して、本実施例のコネクタカバー構造１によれば、突起部２０の突起２１が摩耗した場合でも、突起部２０の突起２２が、摩耗前の突起２１と同様の機能を果たすことができる。即ち、突起２１が摩耗して、突出量Ｄ１≦突出量Ｄ２となると、カバー４０と突起部２０の突起２２とが径方向に当接できる。これは、カバー４０が、弾性変形して開口側が径方向外側に広がっていることや、弾性リング７０により径方向内側に押圧されていることに起因する。これにより、振動による摩耗に起因したカバー機能の有意な低下を防止できる。
【００２６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００２７】
例えば、上述した実施例では、カバー４０は、弾性変形して開口側が径方向外側に広がっていること、及び、弾性リング７０により径方向内側に押圧されていることに起因して、突起２１が摩耗していない状態において突起２１を嵌合部２に向けて弾性的に押圧するが、これに限られない。例えば、弾性リング７０が省略されてもよい。この場合も、カバー４０は、弾性変形して開口側が径方向外側に広がっていることに起因して、突起２１が摩耗していない状態において突起２１を嵌合部２に向けて弾性的に押圧できる。或いは、カバー４０は、常態（組み付け前の状態）において、開口側が径方向外側に広がる形態であってもよい。この場合も、カバー４０は、弾性リング７０により径方向内側に押圧されていることに起因して、突起２１が摩耗していない状態において突起２１を嵌合部２に向けて弾性的に押圧できる。
【００２８】
また、上述した実施例では、突起部２０は、樹脂モールド部１４側に設けられるが、これに限られない。即ち、突起部２０は、カバー４０側に設けられてもよい。この場合も、カバー４０は、少なくとも２つの突起を有し、開口側の突起の方が突出量が大きい。
【００２９】
また、上述した実施例では、樹脂モールド部１４は、円筒部１４０を一体的に含むが、円筒部１４０は、該円筒部１４０を除く樹脂モールド部１４の部位に対して、別体に形成されてもよい。
【００３０】
また、上述した実施例では、突起部２０は、３つの突起２１、２２、２３を有するが、３つの突起２１、２２、２３のうちの２つのみであってもよい。この場合、２つのうち、開口側の突起が第１突起の一例となり、他方の突起が第２突起の一例となる。また、突起部２０は、４つ以上の突起を有してもよい。
【符号の説明】
【００３１】
１  コネクタカバー構造
２  嵌合部
１１  雄コネクタ
１２  雌コネクタ
１３  基板
１４  樹脂モールド部
２０  突起部
２１  突起
２２  突起
２３  突起
４０  カバー
５０  電線
７０  弾性リング
９０  空間
１４０  円筒部
【図１】
2018073470.tif 000003
【図２】
2018073470.tif 000004